【手続補正書】
【提出日】平成24年6月22日(2012.6.22)
【手続補正１】
【補正対象書類名】特許請求の範囲
【補正対象項目名】全文
【補正方法】変更
【補正の内容】
【特許請求の範囲】
【請求項１】
記憶部を備え、ネットワークに接続される複数の画像形成装置を管理する管理サーバであって、
管理対象の画像形成装置の登録情報として、IPアドレス、MACアドレス、及びシリアル番号を対応付けて画像形成装置毎に前記記憶部に保存させて管理する管理手段と、
ネットワークを介して前記画像形成装置の稼働情報とともに、IPアドレス、MACアドレス、及びシリアル番号を受信する受信手段と、
前記記憶部に、前記受信手段により受信されたIPアドレス及びMACアドレスが対応して保存されていない場合に、前記登録情報として、前記受信手段により受信されたシリアル番号が対応付けて管理されているか否かを判断する判断手段と、
前記判断手段により、前記受信手段により受信されたシリアル番号が前記登録情報として対応付けて管理されていると判断された場合、当該シリアル番号を含む登録情報が示す画像形成装置に紐付けて前記受信手段により受信された前記稼働情報を前記記憶部に保存する保存手段と、
を備えることを特徴とする管理サーバ。
【請求項２】
前記判断手段により、前記受信手段により受信されたシリアル番号が前記登録情報として対応付けて管理されていないと判断された場合、前記受信手段により受信した前記稼働情報及び前記シリアル番号を紐付けて前記記憶部に保存し、管理者の指示に基づいて前記登録情報として管理することを特徴とする請求項１に記載の管理サーバ。
【請求項３】
前記管理手段は、管理対象の画像形成装置の登録情報として、IPアドレス、MACアドレス、及びシリアル番号とさらにベンダ情報を対応付けて画像形成装置毎に前記記憶部に保存させて管理し、
前記受信手段は、ネットワークを介して画像形成装置の稼働情報とともに、IPアドレス、MACアドレス、及びシリアル番号とさらにベンダ情報を受信し、
前記判断手段により、前記管理手段により管理される登録情報に、前記受信手段により受信されたシリアル番号が登録されていると判断された場合、当該シリアル番号と対応して前記登録情報に登録されているベンダ情報と前記受信手段により受信されたベンダ情報とが一致するか否かを確認する確認手段を備え、
前記確認手段によりベンダ情報が一致していると確認された場合、前記受信手段において受信されたシリアル番号及びベンダ情報を含む登録情報が示す画像形成装置に紐付けて前記受信手段により受信された前記稼働情報を前記記憶部に保存することを特徴とする請求項１または２に記載の管理サーバ。
【請求項４】
前記確認手段により、前記受信手段により受信されたベンダ情報が一致していないと確認された場合に、前記受信手段により受信した前記稼働情報及び前記シリアル番号を紐付けて前記記憶部に保存し、管理者の指示に基づいて前記登録情報として管理することを特徴とする請求項３に記載の管理サーバ。
【請求項５】
前記受信手段により受信されたIPアドレス及びMACアドレスが前記登録情報として対応付けて管理されていない場合に、前記受信手段により受信されたIPアドレス及びMACアドレスが示す画像形成装置の設置状況を確認するための情報を含む通知を行う通知手段を備えることを特徴とする請求項１乃至４の何れか1項に記載の管理サーバ。
【請求項６】
前記管理手段は、前記判断手段による判断の結果及び前記確認手段による確認の結果の少なくともいずれかに基づき、前記受信手段により受信された情報による前記登録情報の変更を行うことを特徴とする請求項３に記載の管理サーバ。
【請求項７】
記憶部を備え、ネットワークに接続される複数の画像形成装置を管理する管理サーバにおける管理方法であって、
管理対象の画像形成装置の登録情報として、IPアドレス、MACアドレス、及びシリアル番号を対応付けて画像形成装置毎に前記記憶部に保存させて管理する管理工程と、
ネットワークを介して前記画像形成装置の稼働情報とともに、IPアドレス、MACアドレス、及びシリアル番号を受信する受信工程と、
前記記憶部に、前記管理工程により管理される前記登録情報に、前記受信工程により受信された前記IPアドレス及び前記MACアドレスが対応して保存されていない場合に、前記登録情報として、前記受信工程により受信されたシリアル番号が前記登録情報として対応付けて管理されているか否かを判断する判断工程と、
前記判断工程により、前記受信工程により受信されたシリアル番号が前記登録情報として対応付けて管理されていると判断された場合、当該シリアル番号を含む登録情報が示す画像形成装置に紐付けて前記受信工程により受信された前記稼働情報を前記記憶部に保存する保存工程と、
を備えることを特徴とする管理方法。
【請求項８】
前記管理工程は、管理対象の画像形成装置の登録情報として、IPアドレス、MACアドレス、及びシリアル番号とさらにベンダ情報を対応付けて画像形成装置毎に管理し、
前記受信工程は、ネットワークを介して画像形成装置の稼働情報とともに、IPアドレス、MACアドレス、及びシリアル番号とさらにベンダ情報を受信し、
前記判断工程により、前記管理工程により管理される登録情報に、前記受信工程により受信されたシリアル番号が登録されていると判断された場合、当該シリアル番号と対応して前記登録情報に登録されているベンダ情報と前記受信工程により受信されたベンダ情報とが一致するか否かを確認する確認工程を備え、
前記確認工程によりベンダ情報が一致していると確認された場合、前記受信工程において受信されたシリアル番号及びベンダ情報を含む登録情報が示す画像形成装置に紐付けて前記受信工程により受信された前記稼働情報を前記記憶部に保存することを特徴とする請求項７に記載の管理方法。
【請求項９】
前記管理工程は、前記判断工程による判断の結果及び前記確認工程による確認の結果の少なくともいずれかに基づき、前記受信工程により受信された情報による前記登録情報の変更を行うことを特徴とする請求項８に記載の管理方法。
【請求項１０】
複数の画像形成装置を監視し、管理サーバとインターネットを介して接続される監視装置であって、
監視対象の画像形成装置の登録情報として、IPアドレス、MACアドレス、及びシリアル番号を対応付けて画像形成装置毎に管理する管理手段と、
前記画像形成装置から稼働情報を含む情報を取得する取得手段と、
前記取得手段により取得された前記情報に、前記画像形成装置のシリアル番号が含まれるか否かを判断する判断手段と、
前記判断手段によりシリアル番号が含まれると判断された場合に、前記登録情報として、前記取得手段により取得されたIPアドレス及びシリアル番号が対応付けて管理されていないことに応じて、IPアドレス及びシリアル番号に関して登録情報との不一致が発生したことを前記管理サーバに通知する第1の通知手段と、
前記判断手段によりシリアル番号が含まれないと判断された場合に、前記登録情報に、前記取得手段により取得された情報に含まれるIPアドレス及びMACアドレスが対応付けて管理されていないことに応じて、IPアドレス及びMACアドレスに関して前記登録情報との不一致が発生したことを前記管理サーバに通知する第2の通知手段と、を備えることを特徴とする監視装置。
【請求項１１】
前記取得手段により取得された稼働情報は、ログ及びカウンタ値を含むことを特徴とする請求項１０に記載の監視装置。
【請求項１２】
前記取得手段は、前記監視装置と前記監視対象の画像形成装置の通信確認時、前記監視装置が前記稼働情報を取得することを特徴とする請求項１０に記載の監視装置。
【請求項１３】
前記取得手段は、前記管理手段により管理される前記監視対象の画像形成装置の前記登録情報変更時、前記監視装置が前記稼働情報を取得することを特徴とする請求項１０に記載の監視装置。
【請求項１４】
複数の画像形成装置を監視し、管理サーバとインターネットを介して接続される監視装置の制御方法であって、
監視対象の画像形成装置の登録情報として、IPアドレス、MACアドレス、及びシリアル番号を対応付けて画像形成装置毎に管理する管理工程と、
前記画像形成装置から稼働情報を含む情報を取得する取得工程と、
前記取得工程により取得された前記情報に、前記画像形成装置のシリアル番号が含まれるか否かを判断する判断工程と、
前記判断工程によりシリアル番号が含まれると判断された場合に、前記登録情報として、前記取得工程により取得されたIPアドレス及びシリアル番号が対応付けて管理されていないことに応じて、IPアドレス及びシリアル番号に関して登録情報との不一致が発生したことを前記管理サーバに通知する第1の通知工程と、
前記判断工程によりシリアル番号が含まれないと判断された場合に、前記登録情報に、前記取得工程により取得された情報に含まれるIPアドレス及びMACアドレスが対応付けて管理されていないことに応じて、IPアドレス及びMACアドレスに関して前記登録情報との不一致が発生したことを前記管理サーバに通知する第2の通知工程と、を備えることを特徴とする監視装置の制御方法。
【請求項１５】
複数の画像形成装置を監視し、管理サーバとインターネットを介して接続されるコンピュータを、
監視対象の画像形成装置の登録情報として、IPアドレス、MACアドレス、及びシリアル番号を対応付けて画像形成装置毎に管理する管理手段、
前記画像形成装置から稼働情報を含む情報を取得する取得手段、
前記取得手段により取得された前記情報に、前記画像形成装置のシリアル番号が含まれるか否かを判断する判断手段、
前記判断手段によりシリアル番号が含まれると判断された場合に、前記登録情報として、前記取得手段により取得されたIPアドレス及びシリアル番号が対応付けて管理されていないことに応じて、IPアドレス及びシリアル番号に関して登録情報との不一致が発生したことを前記管理サーバに通知する第1の通知手段と、
前記判断手段によりシリアル番号が含まれないと判断された場合に、前記登録情報に、前記取得手段により取得された情報に含まれるIPアドレス及びMACアドレスが対応付けて管理されていないことに応じて、IPアドレス及びMACアドレスに関して前記登録情報との不一致が発生したことを前記管理サーバに通知する第2の通知手段として機能させるためのプログラム。
【手続補正２】
【補正対象書類名】明細書
【補正対象項目名】０００７
【補正方法】変更
【補正の内容】
【０００７】
上記目的を達成する本発明の管理サーバは以下に示す構成を備える。
記憶部を備え、ネットワークに接続される複数の画像形成装置を管理する管理サーバであって、管理対象の画像形成装置の登録情報として、IPアドレス、MACアドレス、及びシリアル番号を対応付けて画像形成装置毎に前記記憶部に保存させて管理する管理手段と、ネットワークを介して前記画像形成装置の稼働情報とともに、IPアドレス、MACアドレス、及びシリアル番号を受信する受信手段と、前記記憶部に、前記受信手段により受信されたIPアドレス及びMACアドレスが対応して保存されていない場合に、前記登録情報として、前記受信手段により受信されたシリアル番号が対応付けて管理されているか否かを判断する判断手段と、前記判断手段により、前記受信手段により受信されたシリアル番号が前記登録情報として対応付けて管理されていると判断された場合、当該シリアル番号を含む登録情報が示す画像形成装置に紐付けて前記受信手段により受信された前記稼働情報を前記記憶部に保存する保存手段とを備えることを特徴とする。